(57)【要約】【課題】  光源からの照射光を効率よく導光板に入射させ、この導光板から表示パネルに照射光を照射することにより、表示パネルにおいて明るく良好な表示を得る。【解決手段】  小型ＬＥＤ８を、ＦＰＣ９上に載置して、小型ＬＥＤ８における照射光を照射する中心部が導光板６の側面６ａの厚み方向における中央部に対向するように配置する。【選択図】      図１
2005135862.tif 000002
【特許請求の範囲】
【請求項１】
導光板と、前記導光板の側面近傍に設けられ前記導光板の側面に対し照射光を照射する光源と、前記光源における照射光を照射する中心部が前記導光板の側面の厚み方向における中央部に対向するように前記光源の配置位置を調整する光源位置調整手段とを有することを特徴とするライトユニット。
【請求項２】
前記光源が発した熱を他部材に伝達しまたは放出する放熱部を有する請求項１に記載のライトユニット。
【請求項３】
前記光源位置調整手段が、位置調整用配線基板とされた請求項１または２に記載のライトユニット。
【請求項４】
前記放熱部が、前記位置調整用配線基板に配設されている請求項３に記載のライトユニット。
【請求項５】
前記放熱部が高伝熱材からなり、該高伝熱材が前記光源に対応する位置に配設されている請求項４に記載のライトユニット。
【発明の詳細な説明】
【技術分野】
【０００１】
本発明は、光源からの照射光を導光板を介して表示パネルに照射するライトユニットに関する。
【背景技術】
【０００２】
一般に、液晶表示装置においては、液晶表示パネルに照射光を照射するためのライトユニットが備えられている。
【０００３】
このライトユニットは、導光板の側面近傍に光源が設けられ、この光源から導光板の側面に照射された照射光を導光板の一主面から出射することにより、液晶表示パネルに照射光を照射するようになっている。
【０００４】
このようなライトユニットのうち、例えば車載用液晶表示装置に用いられる対角線の長さ寸法が約１３〜２３ｃｍ（約５〜９インチ）程度の大きさの中型液晶表示パネルに照射光を照射するためのライトユニットに備えられる光源としては、一般にＣＦＬ管（Cathode Fluorescent Lamp：冷陰極蛍光管）が利用されている。
【０００５】
ここで、現在多くのＣＦＬ管においては発光のために水銀が利用されているが、環境保護の観点から水銀を用いない光源の利用が望まれている。そこで、光源としてＣＦＬ管に代わってＬＥＤ（Light-Emitting Diode）を利用することが考えられている。
【０００６】
このＬＥＤとしては、現在、携帯電話やＰＤＡの液晶表示装置に用いられる対角線の長さ寸法が約５〜８ｃｍ（約２〜３インチ）程度の大きさの小型液晶表示パネルに照射光を照射する小型ＬＥＤが主に製造されており、前述の車載用液晶表示装置に用いられる中型液晶表示パネルを照射するライトユニットの光源として、前記小型ＬＥＤを用いることが考えられている。
【０００７】
しかし、携帯電話等に用いられる小型液晶表示パネルにおいては、厚みが１〜１．５ｍｍ程度の導光板を用いることにより照射光を全面に十分に照射することができる一方、車載用液晶表示装置等に用いられる中型液晶表示パネルの全面に照射光を十分に照射するためには、厚みが２〜３ｍｍ程度の導光板を用いる必要がある。
【０００８】
そこで、図４に示すように、従来のライトユニット２０において、例えば厚みが３ｍｍの導光板２１の側面２１ａ近傍に前記小型ＬＥＤ２２を配設した場合、小型ＬＥＤ２２は導光板２１の側面２１ａの下部分に対向することとなる。
【０００９】
ここで、一般的に光源からの照射光を導光板２１の側面２１ａに効率的に入射させることができるのは、光源における照射光を照射する中心部が導光板２１の側面２１ａの厚み方向における中央部に対向して配置されている場合であるが、前述の従来のライトユニットによれば、前記小型ＬＥＤ２２からの照射光は前記導光板２１の側面２１ａにおける下部分を中心に照射されてしまうこととなる。このため、小型ＬＥＤ２２からの照射光を効率よく導光板２１に入射させることができないという問題があった。
【発明の開示】
【発明が解決しようとする課題】
【００１０】
本発明はこれらの点に鑑みてなされたものであり、光源からの照射光を効率よく導光板に入射させることにより、表示パネルにおいて明るく良好な表示を得ることができるライトユニットを提供することを目的とする。
【課題を解決するための手段】
【００１１】
前記目的を達成するため、本発明に係るライトユニットの特徴は、導光板と、前記導光板の側面近傍に設けられ前記導光板の側面に対し照射光を照射する光源と、前記光源における照射光を照射する中心部が前記導光板の側面の厚み方向における中央部に対向するように前記光源の配置位置を調整する光源位置調整手段とを有する点にある。
【００１２】
また、本発明に係るライトユニットは、前記光源が発した熱を他部材に伝達しまたは放出する放熱部を有するとよい。
【００１３】
さらに、前記光源位置調整手段は、位置調整用配線基板とされてもよいし、前記導光板および前記光源を収納する枠体のうち前記光源の配設位置に形成された凸部とされてもよい。
【００１４】
また、前記放熱部を前記位置調整用配線基板に配設するとよいし、前記放熱部を高伝熱材とし、該高伝熱材を前記光源に対応する位置に配設するとよい。
【００１５】
この本発明に記載のライトユニットによれば、光源は、光源位置調整手段上に載置され、照射光を照射する中心部が導光板の厚み方向における中央部に対向するようになっているので、光源によって照射された照射光を導光板に効率的に入射させることができる。
【００１６】
また、光源としてＬＥＤを用いた場合、ＬＥＤは照射光が照射される際に発する熱により寿命が短くなってしまう性質を有するが、本発明によれば、ＬＥＤが照射光を照射する際に発する熱を放熱部を介して伝達または放出することができるので、ＬＥＤが発した熱がＬＥＤに蓄積されてしまうのを防止し、ＬＥＤの長寿命化を図ることができる。
【発明の効果】
【００１７】
以上述べたように、本発明に係るライトユニットによれば、光源からの照射光を効率よく導光板に入射させ、この導光板から表示パネルに照射光を照射することにより、表示パネルにおいて明るく良好な表示を得ることができる。
【発明を実施するための最良の形態】
【００１８】
以下、本発明に係るライトユニットの実施形態を図１から図３を参照して説明する。ここで、本実施形態においては、対角線の長さ寸法が約２３ｃｍ（９インチ）の大きさの車載用の液晶表示パネルの裏側から、前記液晶表示パネルに照射光を照射するバックライトユニットを用いて説明する。
【００１９】
図１は、本実施形態におけるバックライトユニットを示す模式的分解斜視図、図２は、図１のバックライトユニットを示すＡ−Ａにおける断面図である。
【００２０】
図１および図２に示すように、本バックライトユニット１は、液晶表示パネル２の裏面に開口部が対向するように配設された箱状の枠体３を有し、枠体３における基体３ａ上には、ＰＷＢ（Printed Writing Board ）５が設けられている。
【００２１】
ＰＷＢ５の表側には、液晶表示パネル２の表示部に対向する大きさの導光板６が設けられており、この導光板６としては、対角線の長さ寸法が約２３ｃｍ（９インチ）の大きさの液晶表示パネル２に十分な照射光を照射するための厚みが３ｍｍの導光板６が用いられている。
【００２２】
前記導光板６の側面６ａ近傍には、この導光板６の側面６ａに対して照射光を照射する光源として、対角線の長さ寸法が約５〜８ｃｍ（２〜３インチ）程度の大きさの小型液晶表示パネル２に照射光を照射するための小型ＬＥＤ８が設けられている。
【００２３】
また、ＰＷＢ５の表面であって前記導光板６の側面６ａ近傍に沿う位置には、位置調整用配線基板として帯状のＦＰＣ（Flexible Printed Circuit）９が設けられている。そして、小型ＬＥＤ８は、ＦＰＣ９上に載置されており、この小型ＬＥＤ８は、ＦＰＣ９の導電配線と小型ＬＥＤ８の電極とが接続されることによりＦＰＣ９と導通されている。また、ＦＰＣ９は、その端部においてＦＰＣ９の導電配線とＰＷＢ５の導電配線とが電極端子１１を介して接続されることにより、ＰＷＢ５に導通されている。そして、前記ＰＷＢ５は、ＦＰＣ９を介して小型ＬＥＤ８に所定の信号を供給するようになっている。
【００２４】
前記ＦＰＣ９の裏面における一部分には、小型ＬＥＤ８が発する熱をＦＰＣ９からＰＷＢ５に伝達する第１放熱部として高伝熱テープ１３が貼着されており、ＦＰＣの裏面およびＰＷＢ５の表面は高伝熱テープ１３によって接続されている。さらに、ＦＰＣの裏面およびＰＷＢ５の表面における高伝熱テープ１３が配設されていない部分は、小型ＬＥＤ８が発する熱を空気中に放出する空気層１４が構成されるようになっている。
【００２５】
なお、小型ＬＥＤ８の熱を効率的に放熱させるためには、高伝熱テープは小型ＬＥＤ８に対応する位置に配設したほうがよい。また、高伝熱テープは、熱伝導率の高い銅、アルミニウム等の金属テープの両側面に粘着材を配設したものでよい。
【００２６】
そして、小型ＬＥＤ８は、ＦＰＣ９上に載置されることにより、小型ＬＥＤ８における照射光を照射する中心部が導光板６の側面６ａの厚み方向における中央部に対向するような位置に配置されるようになっている。
【００２７】
さらに、前記枠体３の底壁におけるＦＰＣ９の配置位置に相当する部分には、小型ＬＥＤ８が発した熱を枠体３の外部に放出させるための第２放熱部として複数の貫通孔１５が形成されている。
【００２８】
このとき、小型ＬＥＤ８の熱を放熱させるために、前記第２放熱部（貫通孔５）に対応する位置のＰＷＢ５に開口を設け、前記ＦＰＣ９の裏面を一部露出するようにした方がよい。
【００２９】
次に、本実施形態の作用について説明する。
【００３０】
本実施形態によれば、小型ＬＥＤ８は、ＦＰＣ９に載置され、照射光を照射する中心部が導光板６の厚み方向における中央部に対向するようになっているので、小型ＬＥＤ８によって照射された照射光を導光板６に効率的に入射させることができる。
【００３１】
したがって、小型ＬＥＤ８からの照射光を効率よく導光板６に入射させ、この導光板６から表示パネルに照射光を照射することにより、表示パネルにおいて明るく良好な表示を得ることができる。
【００３２】
また、小型ＬＥＤ８は照射光が照射される際に発する熱により寿命が短くなってしまう性質を有する。ここで本実施形態によれば、ＦＰＣ９の裏面は高伝熱テープ１３によってＰＷＢ５の表面に貼着されており、さらにＦＰＣ９およびＰＷＢ５の間における高伝熱テープ１３が配設されていない部分は空気層１４となっているので、小型ＬＥＤ８は、照射光が照射される際に発する熱を、高伝熱テープ１３を介してＰＷＢ５に伝達することができるとともに、空気層１４を介して放出することができる。この結果、小型ＬＥＤ８が発した熱が小型ＬＥＤ８の近傍に蓄積されてしまうのを防止し、小型ＬＥＤ８の長寿命化を図ることができる。
【００３３】
さらに、枠体３には複数の貫通孔１５が形成されており、これら貫通孔１５から小型ＬＥＤ８から発生された熱を枠体３の外部に放出させることができるので、枠体３内における蓄熱を防止し、一層小型ＬＥＤ８の長寿命化を図ることができる。
【００３４】
次に、本発明に係るライトユニットの第２の実施形態について図３を参照して説明する。ここで、第１の実施形態におけるバックライトユニット１と同一の構成については同一の符号を用いて説明する。
【００３５】
図３は、第２の実施形態におけるバックライトユニットを示す模式的断面図であり、図３に示すように、本バックライトユニット１における導光板６の側面６ａ近傍には、小型ＬＥＤ８が設けられている。
【００３６】
枠体３の基体３ａにおける小型ＬＥＤ８の配設位置に相当する部分には、導光板６の側面６ａ近傍に沿うように凸部１７が形成されており、凸部１７上にはＦＰＣ１８を介して小型ＬＥＤ８が載置されている。そして、この小型ＬＥＤ８は、ＦＰＣ１８を介して凸部１７上に載置されることにより、小型ＬＥＤ８における照射光を照射する中心部が導光板６の側面６ａの厚み方向における中央部に対向するような位置に配置されるようになっている。
【００３７】
なお、第２の実施形態におけるバックライトユニット１の他の構成は、第１の実施形態におけるライトユニット１の構成と同一であるので、説明を省略する。
【００３８】
本実施形態によれば、小型ＬＥＤ８は、ＦＰＣ１８を介して凸部１７上に載置され、照射光を照射する中心部が導光板６の側面６ａの厚み方向における中央部に対向するようになっているので、小型ＬＥＤ８によって照射された照射光を導光板６に効率的に入射させることができる。
【００３９】
したがって、小型ＬＥＤ８からの照射光を効率よく導光板６に入射させ、この導光板６から表示パネルに照射光を照射することにより、表示パネルにおいて明るく良好な表示を得ることができる。
【００４０】
なお、本発明は前記実施形態に限定されるものではなく、必要に応じて種々変更することが可能である。
【００４１】
例えば、小型ＬＥＤ８が直接載置されたＦＰＣ９，１８における前記小型ＬＥＤ８が載置されている面と反対側の裏面に放熱部としてベタ銅箔を設けてもよい。これにより、小型ＬＥＤ８の熱をＦＰＣ９，１８および銅箔を介してＰＷＢ５や枠体３等の他部材に伝達することができ、小型ＬＥＤ８の熱が小型ＬＥＤ８自体に蓄積されてしまうことを防止し、小型ＬＥＤ８の長寿命化を図ることができる。
【００４２】
また、位置調整用配線基板としてＦＰＣを例示したがＰＷＢであってもよい。さらに、光源の高さ調整は位置調整用配線基板の厚みを変えたり、高伝熱テープの厚さを変えることが簡単にできる。
【図面の簡単な説明】
【００４３】
【図１】本発明に係るライトユニットの一実施形態を示す模式的分解斜視図
【図２】図１のライトユニットを示すＡ−Ａにおける模式的断面図
【図３】本発明に係るライトユニットの他の実施形態を示す模式的断面図
【図４】従来のライトユニットを示す模式的断面図
【符号の説明】
【００４４】
１  ライトユニット
２  液晶表示パネル
３  枠体
３ａ  基体
５  ＰＷＢ
６  導光板
６ａ  側面
８  小型ＬＥＤ
９  ＦＰＣ
１１  電極端子
１３  高伝熱テープ
１４  空気層
１５  貫通孔
【図１】
2005135862.tif 000003
【図２】
2005135862.tif 000004
【図３】
2005135862.tif 000005
【図４】
2005135862.tif 000006